(57)【要約】  内視鏡１は、先端カバー部材２０の表面に対して少なくとも一部が外部に露呈するように配置された第１の接着剤層３１と、先端カバー部材２０における第１の接着剤層３１に覆われる部分に配置されており、第１の接着剤層３１の劣化に伴って少なくとも一部が外部に露呈される表示部としての第２の接着剤層３２と、を具備している。
2018042736.tif 000002
【特許請求の範囲】
【請求項１】
外装部材の表面に対して少なくとも一部が外部に露呈するように配置された接着剤層と、
上記外装部材における上記接着剤層に覆われる部分に配置されており、上記接着剤層の劣化に伴って少なくとも一部が外部に露呈される表示部と、
を具備することを特徴とする内視鏡。
【請求項２】
上記表示部は、上記接着剤層を形成する第１の接着剤とは異なる第２の接着剤によって形成された接着剤層であることを特徴とする、請求項１に記載された内視鏡。
【請求項３】
上記第１の接着剤の色彩と、上記第２の接着剤の色彩とが異なることを特徴とする、請求項２に記載された内視鏡。
【請求項４】
上記表示部の色彩は、上記外装部材の色彩とは異なることを特徴とする、請求項１に記載された内視鏡。
【請求項５】
上記表示部の色彩は、上記接着剤層の色彩とは異なることを特徴とする、請求項１に記載された内視鏡。
【請求項６】
上記表示部は、文字もしくは記号で形成されていることを特徴とする、請求項１に記載された内視鏡。
【請求項７】
上記表示部は、上記外装部材の地肌であることを特徴とする、請求項１に記載された内視鏡。
【請求項８】
上記内視鏡を洗浄する洗浄装置に上記表示部を読み取る読取部を設けたことを特徴とする、請求項１に記載された内視鏡。
【請求項９】
上記読取部は、上記表示部の文字、あるいは、記号を光学的に読み取ってその状態を検出することを特徴とする、請求項８に記載された内視鏡。
【請求項１０】
上記読取部は、上記表示部の色彩を読み取ってその状態を検出することを特徴とする、請求項８に記載された内視鏡。
【発明の詳細な説明】
【技術分野】
【０００１】
本発明は、外装側に接着固定部を有する内視鏡に関する。
【背景技術】
【０００２】
近年、内視鏡は、医療分野及び工業用分野等において利用されている。内視鏡の挿入部の先端部には観察窓、照明窓が設けられている。観察窓、照明窓は、先端部を構成する先端カバーの予め定めた部位に接着剤を塗布した接着固定部を設けて固設されている。【０００３】
また、内視鏡においては、挿入部に湾曲部を設けたものがある。湾曲部の最外層を構成する湾曲ゴムは、先端部を構成する先端硬質部材の予め定めた部位、および、可撓管部の先端側に設けられた連結管の予め定めた部位に例えば糸巻接着部を設けて固定されている。【０００４】
医療分野に用いられる内視鏡は、観察、診断、治療等に使用された後、洗浄消毒される。洗浄消毒としては、オートクレーブ滅菌、消毒液による滅菌等がある。上述した接着部は、オートクレーブ滅菌の高圧高温水蒸気に晒される、あるいは、消毒液に浸漬される、ことによって劣化していく。【０００５】
日本国特開平１１−０５６７４６号公報には、内視鏡が致命的な劣化状況に陥る前にユーザへ告知することによって、内視鏡が破壊されてしまうのを防止できる内視鏡装置が示されている。この内視鏡装置においては、洗浄、消毒、あるいは滅菌手段に内視鏡がかけられた例数をチェックすることで、水漏れ等の致命的な故障が生じる前に修理を行なうことが可能となり内視鏡の寿命を延ばせる。  
しかしながら、日本国特開平１１−０５６７４６号公報の内視鏡装置のように内視鏡を洗浄、消毒、あるいは滅菌装置にかけた例数を基準にした場合、薬剤の種類など滅菌条件が異なることによって劣化するまでの例数が変化する。このため、ユーザからは、接着部が劣化して修理する状態が近づいていることを判定可能な内視鏡が求められている。【０００６】
本発明は上記事情に鑑みてなされたものであり、接着剤層の劣化状況の判断が容易で修理に出すか否かの判定を的確に行える内視鏡を提供することを目的としている。
【発明の開示】
【課題を解決するための手段】
【０００７】
本発明の一態様の内視鏡は、外装部材の表面に対して少なくとも一部が外部に露呈するように配置された接着剤層と、上記外装部材における上記接着剤層に覆われる部分に配置されており、上記接着剤層の劣化に伴って少なくとも一部が外部に露呈される表示部と、を具備している。
【図面の簡単な説明】
【０００８】
【図１】内視鏡を説明する図
【図２Ａ】挿入部の先端部の先端面を主に説明する図
【図２Ｂ】図２Ａの矢印Ｙ２Ｂ−Ｙ２Ｂ線断面図であって、観察窓を先端カバーに固設する接着固定部を説明する図
【図３Ａ】湾曲ゴムを備える挿入部を説明する図
【図３Ｂ】図３Ａの矢印Ｙ３Ｂに示す部分の拡大図であって、糸巻接着固定部を説明する図
【図４Ａ】ユニバーサルコードの端部に有する内視鏡コネクタに設けられた接着剤層を説明する図
【図４Ｂ】接着剤層によって覆い隠される表示部である文字部を説明する図
【図５Ａ】内視鏡コネクタに設けられたインジケータとしての判定用着色部を説明する図
【図５Ｂ】湾曲ゴムの糸巻接着固定部に隣設された判定用着色部を説明する図
【図６】内視鏡を洗浄する洗浄消毒装置を説明する図
【図７】内視鏡が設置された内視鏡保持網を洗浄槽内に配置した状態を説明する図
【発明を実施するための最良の形態】
【０００９】
以下、図面を参照して本発明の実施の形態を説明する。  
なお、以下の説明に用いる各図において、各構成要素を図面上で認識可能な程度の大きさとするため、構成要素毎に縮尺を異ならせてあるものもある。また、本発明は、これらの図に記載された構成要素の数量、構成要素の形状、構成要素の大きさの比率、及び各構成要素の相対的な位置関係のみに限定されるものではない。【００１０】
図１に示すように内視鏡１は、挿入部２と、操作部３と、ユニバーサルコード４と、を備えて主に構成されている。挿入部２は、細長で可撓性を有する。操作部３は、挿入部２の基端側に連設されており、把持部を兼用する。ユニバーサルコード４は、操作部３の側部から延出されている。ユニバーサルコード４は、その端部に光源装置（不図示）に着脱自在に接続される内視鏡コネクタ５を備えている。【００１１】
挿入部２は、先端側から順に先端部６と、湾曲自在な湾曲部７と、可撓性を有する柔軟な可撓管部８と、を連接している。操作部３には湾曲操作レバー９、１０、リモートスイッチ１１等が設けられている。リモートスイッチ１１は、例えばフリーズ、レリーズなどの画像制御指示を行うためのスイッチ等である。湾曲部７は、湾曲操作レバー９、１０の回動操作に伴って湾曲する。【００１２】
操作部３には、送気送水ボタン１２、吸引ボタン１３、処置具挿入口金１４が設けられている。処置具挿入口金１４には鉗子栓（不図示）が着脱自在に取り付けられるようになっている。【００１３】
図２Ａに示すように先端部６には先端カバー部材２０が設けられている。先端カバー部材２０は、絶縁性を有する樹脂製であって外装を構成する外装部材である。先端カバー部材２０には観察窓２１、例えば３つの照明窓２２、処置具導出具を兼ねる吸引開口２３、ノズル２４、前方送水口２５等が設けられている。【００１４】
本実施形態において、観察窓２１は、接着固定部３０によって先端カバー部材２０に固定されている。本実施形態において、接着固定部３０は、接着剤の劣化を判定する判定機能を有し、固定部と判定部とを兼用している。【００１５】
図２Ｂに示すように先端カバー部材２０には観察窓設置穴２６が形成されている。観察窓設置穴２６は、窓配置穴２６ａと、接着剤塗布空間２６ｂと、を有している。窓配置穴２６ａは、観察窓２１の外径より僅かに大きく、予め定めた深さ寸法に設定されている。【００１６】
接着剤塗布空間２６ｂは、テーパ穴であって、接着剤塗布空間２６ｂの中心は、窓配置穴２６ａの中心軸に一致している。接着剤塗布空間２６ｂの外径は、窓配置穴２６ａの内径より予め定めた寸法大径である。【００１７】
観察窓２１は、窓配置穴２６ａ内に配置される。この配置状態において、窓配置穴２６ａの底面には観察窓２１の一面が当接して配置され、観察窓２１の一面の反対面である他面は、先端カバー部材２０の先端面より予め定めた量突出する。【００１８】
ここで、観察窓２１の観察窓設置穴２６への固定を説明する。  
作業者は、観察窓２１を観察窓設置穴２６の窓配置穴２６ａ内に予め定めた状態に配置する。次に、作業者は、第２の接着剤を接着剤塗布空間２６ｂに塗布する。そして、作業者は、外部に露呈するカバー先端面側の第２の接着剤層３２の表面を平面にならし、この表面と先端カバー部材２０の先端面とを略同一平面にする。この後、第２の接着剤が硬化することによって、観察窓２１が観察窓設置穴２６内に固定される。【００１９】
第２の接着剤の硬化後、作業者は、第２の接着剤層３２の表面を覆い隠すように第１の接着剤を塗布する。そして、作業者は、第２の接着剤層３２の表面を隠した状態を維持しつつ第１の接着剤層３１の観察窓２１の他面側の表面を平面にならし、予め定めた厚みにする。本実施形態においては、第１の接着剤層３１のならされた平面と観察窓２１の他面である窓先端面とが略同一平面にしてある。【００２０】
この後、第１の接着剤が硬化することによって観察窓２１が先端カバー部材２０に固設される。つまり、接着固定部３０は、上層を構成する厚みが略均一で外部に一面が露呈される第１の接着剤層３１と、この第１の接着剤層３１よって隠された第２の接着剤層３２と、を設けて得られる。【００２１】
上述した第１の接着剤と第２の接着剤とは異なる接着剤であって、本実施形態において第１の接着剤および第２の接着剤は色彩が異なっている。第１の接着剤が黒色であるのに対して、第２の接着剤が鮮やかなオレンジ色である。なお、第１の接着剤と第２の接着剤とは、接着剤としての機能は同様である。【００２２】
このように、内視鏡１の先端部６を構成する先端カバー部材２０に設けられた接着固定部３０は、黒色の第１の接着剤層３１とオレンジ色の第２の接着剤層３２とを有している。【００２３】
内視鏡１を繰り返し洗浄消毒した際、接着固定部３０の外部に露呈して設けられている第１の接着剤層３１が劣化していく。すると、第１の接着剤層３１は、劣化に伴って徐々に消失され、消失が進むにしたがってその消失部分からオレンジ色の第２の接着剤層３２の少なくとも一部が露出する。【００２４】
ここで、ユーザは、鮮やかなオレンジ色を視認することによって第１の接着剤層３１が劣化した状態であると判断して内視鏡の修理のタイミングが近いことを迷うこと無く速やかに認識できる。この結果、ユーザは、内視鏡１に設けられた接着剤の劣化による内視鏡１の故障を未然に防止しつつ、修理のタイミングを誤ることなく確実に修理に出すことが可能になる。【００２５】
なお、上述した実施形態において、第２の接着剤層３２は、接着剤層として予め定めた機能を有している。このため、第２の接着剤層３２が露出された状態において、直ちに内視鏡１が故障する要因になるおそれは無い。つまり、第２の接着剤層３２は、露出されてから予め定めた期間、十分接着剤としての機能を果たす。【００２６】
また、上述した実施形態において、第１の接着剤および第２の接着剤は、接着剤としての機能は同じで色彩が異なるとしている。しかし、第１の接着剤および第２の接着剤の機能が異なっていてもよい。この場合、第１の接着剤は、内視鏡１の他の部位に用いられる接着剤が有する消毒液に対する耐性、あるいは、高圧高温水蒸気に対する耐性に比べて最も弱い接着剤とする。【００２７】
このことによって、内視鏡１が繰り返し洗浄、消毒されたとき、内視鏡１が備える複数の接着部の中で第１の接着剤層３１が最も早く劣化するので他の接着部が劣化して発生する内視鏡１の故障を未然に防止しつつ、修理のタイミングを誤ることなく確実に内視鏡１を修理に出すことができる。【００２８】
また、第１の接着剤の色彩は、内視鏡の先端部に対応する色が好適である。これに対して、第２の接着剤の色彩は、外装部材の色彩とは異なり、かつ、周囲に対して目立つ鮮やかな色が好適である。第２の接着剤の色彩は、鮮やかなオレンジ色に限定されるものでは無い。【００２９】
また、上述した実施形態においては、観察窓２１を固定する接着固定部３０に接着剤の劣化を判定する機能を持たせるために接着剤を二層構造にしている。しかし、照明窓２２を先端カバー部材２０に固定する接着部（不図示）を、固定部と判定部とを兼用する接着固定部としてもよい。【００３０】
また、上述した実施形態において、観察窓２１を固定する接着固定部３０を二層構造にして接着剤層の劣化を判定する機能を持たせている。しかし、図３Ａ、図３Ｂに示すように糸巻接着固定部４０を二層構造にして接着剤層の劣化を判定する機能を持たせようにしてもよい。【００３１】
図３Ａ、図３Ｂに示すように湾曲部７の外装を構成する湾曲ゴム７ｇは、先端部６を構成する硬質部材である先端硬質部材６ａの予め定めた部位、あるいは、可撓管部８の先端側に設けられた硬質部材である連結管８ｐの予め定めた部位に配置され、糸巻接着固定部４０によって一体的に固定されている。【００３２】
図３Ｂに示すように糸巻接着固定部４０は、外方側から順に外部に露呈する一面を有する第１の接着剤層４１と、第２の接着剤層４２と、糸巻部４３と、を設けて得られる。糸巻部４３は、湾曲ゴム７ｇの端部外周面に設けられる。糸巻部４３は緊縛する糸で湾曲ゴム７ｇの端部を押し潰してゴム内周面を先端硬質部材６ａ等の外周面に押圧固定させる。第２の接着剤層４２は、糸巻部４３及びその周囲に塗布される。第２の接着剤層４２は、硬質部材と湾曲ゴム７ｇとの間の水密を図る。第１の接着剤層４１は、表示部である第２の接着剤層４２の表面およびその周囲に塗布されて該第２の接着剤層４２を覆い隠す。【００３３】
このように、内視鏡１の湾曲部７に接着の劣化を判定する機能部となる糸巻接着固定部４０を設けている。この内視鏡１においては、繰り返し洗浄消毒されることによって糸巻接着固定部４０の外部に露呈して設けられている第１の接着剤層４１が劣化する。そして、第１の接着剤層４１は、上述したように劣化に伴って徐々に消失され、消失進むにしたがってその消失部分から第２の接着剤層４２の一部が露出する。この結果、上述した実施形態と同様にユーザは第２の接着剤層４２を視認することによって第１の接着剤層４１が劣化した状態であると判断して内視鏡の修理のタイミングが近いことを認識できる。この結果、上述した実施形態と同様に修理のタイミングを誤ることなく、確実に内視鏡１を修理に出すことが可能になる。【００３４】
上述した実施形態においては、観察窓２１を先端カバー部材２０に固定するための接着固定部３０、湾曲ゴム７ｇを硬質部材に固定するための糸巻接着固定部４０に接着剤の劣化を判定する機能を持たしている。しかし、内視鏡１を洗浄、消毒する際、上述した挿入部２のみならず内視鏡１の操作部３および内視鏡コネクタ５を含むユニバーサルコード４が消毒液に浸漬、あるいは、高圧高温水蒸気に晒される。このため、図４Ａに示すように内視鏡コネクタ５に内視鏡１に用いられた接着剤の劣化を判定するための機能部を設けるようにしてもよい。【００３５】
図４Ａに示すように内視鏡コネクタ５の外装部材の予め定めた一表面５１上には一面が外部に露呈する接着剤層５２が設けられている。接着剤層５２は、表示部を覆って該表示部が外部から見えることが無いように設けられる。【００３６】
図４Ｂに示すように表示部は、文字部５３である。文字部５３は、一表面５１に設けられ、接着剤層５２によって文字全体が覆い隠される。接着剤層５２は、非透明な接着剤を塗布して形成される。接着剤層５２の色彩は、内視鏡コネクタ５の外装部材と同様またはそれに近似した色彩である。【００３７】
これに対して文字部５３の色彩は、外装部材の色彩とは異なり、かつ、周囲に対して目立つ鮮やかな色が好適であり、例えば鮮やかなオレンジ色である。そして、文字部５３は、「ＲＥＰＡＩＲ」等の文字であり、容易に判別することが可能なようにできるだけ大きく設けられる。【００３８】
本実施形態において、接着剤層５２は、内視鏡１に設けられる接着剤の中で消毒液に対する耐性、あるいは、高圧高温水蒸気に対する耐性が最も弱い接着剤で形成される。したがって、接着剤層５２は、内視鏡１を繰り返し洗浄消毒したとき、内視鏡１が備える複数の接着部の中で最も早く劣化する接着部になっている。【００３９】
この構成によれば、内視鏡１を繰り返し洗浄消毒した際、内視鏡コネクタ５の一表面５１に設けられた接着剤層５２が劣化して消失されていくことによって文字部５３である「ＲＥＰＡＩＲ」の文字の一部、または、全部が出現する。【００４０】
ユーザは、文字部５３の一部または全部を確認することによって内視鏡１に設けられた接着部が劣化し始めた状態である等を判断して内視鏡１の修理のタイミングが近いことを認識できる。この結果、上述した実施形態と同様に修理のタイミングを誤ることなく、確実に内視鏡１を修理に出すことが可能になる。【００４１】
また、内視鏡コネクタ５の一表面５１に文字部５３等の表示部を設けると共に、該表示部を覆い隠す接着剤層５２を設けることによって、内視鏡１に低コストで接着剤の劣化を判定する機能を持たせることができる。【００４２】
なお、接着剤層５２を形成する接着剤を内視鏡１に設けられる接着剤の中で消毒液に対する耐性、あるいは、高圧高温水蒸気に対する耐性が最も弱い接着剤としている。しかし、接着剤層５２を内視鏡１に設けられた接着部の中で最も薄く形成するようにしてもよい。この構成によれば、内視鏡１を繰り返し洗浄消毒した際、最も薄く形成された接着剤層５２が最初に劣化して消失して文字部５３である「ＲＥＰＡＩＲ」の文字の一部、または、全部が出現する。【００４３】
このことによって、ユーザは、文字部５３を確認することによって内視鏡１に設けられた接着部が劣化し始めた状態である判断して内視鏡１の修理のタイミングが近いことを認識して修理のタイミングを誤ることなく、確実に内視鏡１を修理に出すことが可能になる。【００４４】
また、上述した実施形態において、表示部を文字部５３とし、その文字部５３の文字を「ＲＥＰＡＩＲ」としている。しかし、文字部５３は、「ＲＥＰＡＩＲ」の文字に限定されるものでは無く、修理のタイミングを告知する他の文字、あるいは、記号等であってもよい。そして、文字部５３の文字、あるいは、記号等は、一表面５１上に直接的に設ける、あるいは、文字あるいは記号が描かれたシート状部材を貼り付けて設けられる。【００４５】
また、上述した実施形態においては、文字部５３および接着剤層５２を内視鏡コネクタ５の一表面５１上に設けるとしている。しかし、文字部５３および接着剤層５２を操作部３の一表面（不図示）上に設けるようにしてもよい。【００４６】
また、上述した実施形においては、接着固定部３０を構成する第１の接着剤層３１、あるいは、糸巻接着固定部４０を構成する第１の接着剤層４１が劣化に伴って消失することによって、表示部としての第２の接着剤層３２、４２が出現してユーザに内視鏡１の修理のタイミングを告知するとしている。しかし、接着剤は、種類によって接着剤層が劣化に伴って消失されるのではなく、劣化に伴って変色する場合がある。この接着剤を用いる場合、接着剤層の劣化が進行しても変色するだけで接着剤層が消失されることは無い。【００４７】
変色する接着剤を使用して、接着固定部あるいは糸巻接着固定部を得る場合、接着部は、一層の接着層によって形成される。この場合、例えば図５Ａに示すように内視鏡コネクタ５の一表面５１上にインジケータとして変色した色彩の判定用着色部５５を設ける。【００４８】
この構成によれば、ユーザが内視鏡１を洗浄する際、例えば接着固定部、あるいは、糸巻接着固定部を判定用着色部５５に隣り合わせに並べ、該固定部の表面の色彩と判定用着色部５５の色彩とが同じであるか否かを比較する。【００４９】
ここで、ユーザが固定部の色彩が判定用着色部５５の色彩と同じになっていると判定した場合、接着剤が劣化した状態であると判断して内視鏡１の修理のタイミングが近いことを認識できる。この結果、上述した実施形態と同様に修理のタイミングを誤ることなく、確実に内視鏡１を修理に出すことが可能になる。【００５０】
なお、判定用着色部５５は、外装部材である一表面５１にインク、塗料等で設けて構成される、あるいは、一表面５１の地肌によって構成される。また、判定用着色部５５を内視鏡コネクタ５の一表面５１では無く、図５Ｂに示すように糸巻接着固定部４５を構成する接着剤層４６に隣接させて設けるようにしてもよい。【００５１】
このことによって、糸巻接着固定部４５を構成する接着剤層４６が劣化しているか否かを瞬時に見比べて判定できる。そして、この構成においては、ユーザが糸巻接着固定部４５を内視鏡コネクタ５に設けられた判定用着色部５５に並べて見比べる作業を不要にして作業性の向上をも図れる。【００５２】
なお、上述した実施形態においては、ユーザが、鮮やかなオレンジ色を視認して、あるいは、判定用着色部５５の色彩と同じになっていると判定して接着剤が劣化した状態であると判断して内視鏡１の修理のタイミングが近いことを速やかに認識して、ユーザが修理のタイミングを誤ることなく確実に内視鏡１を修理に出すことを可能にしている。【００５３】
しかし、上述した内視鏡１は、図６に示すように洗浄消毒装置６０の装置本体６１に設けられた洗浄槽６２内に配置されて洗浄される。このとき、内視鏡１は、内視鏡保持網（図７の符号７０参照）内に予め定めた状態に設置され、その後、内視鏡保持網７０と共に洗浄槽６２内に予め定めた状態に設置されて洗浄消毒される。このため、本実施形態においては、ユーザが接着部の劣化を判定するのでは無く、洗浄消毒装置６０で接着部の劣化を判定するようにしている。【００５４】
図６中の符号６３はトップカバー、符号６４は水位センサ、符号６５は判定用センサである。水位センサ６４は、洗浄槽６２に供給される液体の水位を検出する。判定用センサ６５は、読取部であって、例えば内視鏡コネクタ５に設けられた文字部５３を光学的に読み取るカメラである。【００５５】
図７に示すように内視鏡保持網７０内に設置された内視鏡１は、洗浄槽６２内において、内視鏡１の挿入部２の先端部６を含む湾曲部７の位置、あるいは、操作部３の位置、あるいは、内視鏡コネクタ５の位置が、洗浄消毒装置６０の洗浄槽６２内の予め定めた位置に配置される。そして、本実施形態において判定用センサ６５は、内視鏡コネクタ５の一表面５１に設けられた接着剤層５２に対向するように洗浄槽６２の底面に配置されている。【００５６】
この構成によれば、内視鏡１の洗浄消毒中、あるいは、終了後に内視鏡コネクタ５の一表面５１に設けられた接着剤層５２が劣化して消失されて文字部５３であるオレンジ色の「ＲＥＰＡＩＲ」の一部、または、全部が出現した場合、判定用センサ６５によって「ＲＥＰＡＩＲ」の一部、または、全部が撮影される。【００５７】
洗浄消毒装置６０は、判定用センサ６５に接続された制御部（不図示）を有している。制御部は、判定用センサ６５がとらえた映像から撮像領域内におけるオレンジ色の有無を判定し、オレンジ色を認識した際にはそのオレンジ色の領域が規定値を超えているか否かを判定する。【００５８】
ここで、制御部は、オレンジ色領域が規定値を超えていたときには接着剤層５２が劣化した状態であると判断して洗浄消毒装置６０に備えられた画面上に内視鏡１を修理するタイミングが近いことを告知する例えば「ＲＥＰＡＩＲ」を表示する。一方、オレンジ色領域が規定値以下である場合には、接着剤層５２が劣化し始めた状態であると判断して洗浄消毒装置６０の画面上に例えば「ｃａｒｅ！」を表示する。この結果、ユーザは、接着剤層５２が劣化した状態であるか否か等を判定すること無く、内視鏡１の修理のタイミングを的確に把握して、接着剤層５２の劣化による内視鏡１の故障を未然に防止しつつ確実に内視鏡１を修理に出すことが可能になる。【００５９】
なお、判定用センサ６５が挿入部２の糸巻接着固定部４５を構成する接着剤層４６及び判定用着色部５５をとらえるように配置するようにしてもよい。この場合、制御部は、判定用センサ６５がとらえた映像から撮像領域内における判定用着色部５５の領域が元の面積から増大したか否かを判定する。【００６０】
すなわち、制御部は、接着剤層４６が劣化して判定用着色部５５の色彩と劣化して変色した色彩とを合わせた面積が規定値を越えたとき劣化状態と判断し、洗浄消毒装置６０の画面上に内視鏡１の修理のタイミングが近いことを告知する例えば「ＲＥＰＡＩＲ」を表示する。このことによって、上述と同様の作用及び効果を得ることができる。【００６１】
本発明は、以上述べた実施形態のみに限定されるものではなく、発明の要旨を逸脱しない範囲で種々変形実施可能である。【００６２】
本出願は、２０１６年９月５日に日本国に出願された特願２０１６−１７２９７０号を優先権主張の基礎として出願するものであり、上記の開示内容は、本願明細書、請求の範囲に引用されるものとする。
【図１】
2018042736.tif 000003
【図２Ａ】
2018042736.tif 000004
【図２Ｂ】
2018042736.tif 000005
【図３Ａ】
2018042736.tif 000006
【図３Ｂ】
2018042736.tif 000007
【図４Ａ】
2018042736.tif 000008
【図４Ｂ】
2018042736.tif 000009
【図５Ａ】
2018042736.tif 000010
【図５Ｂ】
2018042736.tif 000011
【図６】
2018042736.tif 000012
【図７】
2018042736.tif 000013
【手続補正書】
【提出日】平成29年6月8日(2017.6.8)
【手続補正２】
【補正対象書類名】明細書
【補正対象項目名】０００１
【補正方法】変更
【補正の内容】
【０００１】
本発明は、外装側に接着固定部を有する内視鏡、及びこの内視鏡の洗浄消毒装置に関する。
【手続補正３】
【補正対象書類名】明細書
【補正対象項目名】０００６
【補正方法】変更
【補正の内容】
【０００６】
本発明は上記事情に鑑みてなされたものであり、接着剤層の劣化状況の判断が容易で修理に出すか否かの判定を的確に行える内視鏡及び洗浄消毒装置を提供することを目的としている。
【手続補正４】
【補正対象書類名】明細書
【補正対象項目名】０００７
【補正方法】変更
【補正の内容】
【０００７】
本発明の一態様の内視鏡は、外装部材の表面に対して少なくとも一部が外部に露呈するように配置された、第１の接着剤にて形成された接着剤層と、上記外装部材における上記接着剤層に覆われる部分に配置されており、上記接着剤層の劣化に伴って少なくとも一部が外部に露呈される、上記第１の接着剤とは異なる第２の接着剤によって形成された他の接着剤層からなる表示部と、を具備している。
また、本発明の一態様の洗浄消毒装置は、上記内視鏡を洗浄する洗浄消毒装置であって、上記内視鏡に設けられた上記表示部を読み取る読取部が設けられている。
【手続補正５】
【補正対象書類名】特許請求の範囲
【補正対象項目名】全文
【補正方法】変更
【補正の内容】
【特許請求の範囲】
【請求項１】
外装部材の表面に対して少なくとも一部が外部に露呈するように配置された、第１の接着剤にて形成された接着剤層と、
上記外装部材における上記接着剤層に覆われる部分に配置されており、上記接着剤層の劣化に伴って少なくとも一部が外部に露呈される、上記第１の接着剤とは異なる第２の接着剤によって形成された他の接着剤層からなる表示部と、
を具備することを特徴とする内視鏡。
【請求項２】
上記第１の接着剤の色彩と、上記第２の接着剤の色彩とが異なることを特徴とする、請求項１に記載された内視鏡。
【請求項３】
上記表示部の色彩は、上記外装部材の色彩とは異なることを特徴とする、請求項１に記載された内視鏡。
【請求項４】
上記表示部は、文字もしくは記号が上記第２の接着剤によって形成されていることを特徴とする、請求項１に記載された内視鏡。
【請求項５】
請求項１に記載の内視鏡を洗浄する洗浄消毒装置であって、
上記内視鏡に設けられた上記表示部を読み取る読取部が設けられたことを特徴とする洗浄消毒装置。
【請求項６】
上記読取部は、上記表示部の文字、あるいは、記号を光学的に読み取ってその状態を検出することを特徴とする、請求項５に記載された洗浄消毒装置。
【請求項７】
上記読取部は、上記表示部の色彩を読み取ってその状態を検出することを特徴とする、請求項５に記載された洗浄消毒装置。
【手続補正書】
【提出日】平成29年9月14日(2017.9.14)
【手続補正１】
【補正対象書類名】明細書
【補正対象項目名】０００７
【補正方法】変更
【補正の内容】
【０００７】
本発明の一態様の内視鏡は、外装部材の表面に対して少なくとも一部が外部に露呈するように配置された、第１の接着剤にて形成された接着剤層と、上記外装部材における上記接着剤層に覆われる部分に配置されており、上記接着剤層の劣化に伴って少なくとも一部が外部に露呈される、上記第１の接着剤とは色彩が異なる第２の接着剤によって形成された他の接着剤層からなる表示部と、を具備している。
また、本発明の一態様の洗浄消毒装置は、上記内視鏡を洗浄する洗浄消毒装置であって、上記内視鏡に設けられた上記表示部を読み取る読取部が設けられている。
【手続補正２】
【補正対象書類名】特許請求の範囲
【補正対象項目名】全文
【補正方法】変更
【補正の内容】
【特許請求の範囲】
【請求項１】
外装部材の表面に対して少なくとも一部が外部に露呈するように配置された、第１の接着剤にて形成された接着剤層と、
上記外装部材における上記接着剤層に覆われる部分に配置されており、上記接着剤層の劣化に伴って少なくとも一部が外部に露呈される、上記第１の接着剤とは色彩が異なる第２の接着剤によって形成された他の接着剤層からなる表示部と、
を具備することを特徴とする内視鏡。
【請求項２】
上記表示部の色彩は、上記外装部材の色彩とは異なることを特徴とする、請求項１に記載された内視鏡。
【請求項３】
上記表示部は、文字もしくは記号が上記第２の接着剤によって形成されていることを特徴とする、請求項１に記載された内視鏡。
【請求項４】
請求項１に記載の内視鏡を洗浄する洗浄消毒装置であって、
上記内視鏡に設けられた上記表示部を読み取る読取部が設けられたことを特徴とする洗浄消毒装置。
【請求項５】
上記読取部は、上記表示部の文字、あるいは、記号を光学的に読み取ってその状態を検出することを特徴とする、請求項４に記載された洗浄消毒装置。
【請求項６】
上記読取部は、上記表示部の色彩を読み取ってその状態を検出することを特徴とする、請求項４に記載された洗浄消毒装置。
【国際調査報告】
2018042736.tif 000014
2018042736.tif 000015